(57)【要約】    【課題】  所望の傾斜を保持した状態で遊戯台を遊戯台設置ユニットに容易に取り付けることができる遊戯台取り付け具を提供する。    【解決手段】  遊戯台枠を島上枠に取り付けるための上部取り付け具と島下枠に取り付けるための下部取り付け具とを具備し、上部取り付け具が、遊戯台枠の出入りを調整するための出入り調整ボルトと、遊戯台枠を出入り調整ボルトの方へ押しつけるための押しボルトとを備えており、下部取り付け具が、遊戯台枠の出入りを調整するための出入り調整ボルトと、遊戯台枠を下方に押しつけるための押しボルトとを備えており、遊戯台枠が所望の傾斜となるように、両方の出入り調整ボルトをそれぞれ調整し、かつ、下部取り付け具の押しボルトにより遊戯台枠を下方に押しつけた状態で、上部取り付け具の押しボルトにより遊戯台枠を上部取り付け具の出入り調整ボルトの方へ押しつけるように構成されている。【選択図】  図１
2006314653.tif 000002
【特許請求の範囲】
【請求項１】
遊戯台枠を島上枠に取り付けるための上部取り付け具および島下枠に取り付けるための下部取り付け具とを具備した遊戯台取り付け具であって、
前記上部取り付け具が、遊戯台枠の出入りを調整するための出入り調整ボルトと、前記出入り調整ボルトの上方に位置し、遊戯台枠を前記出入り調整ボルトの方へ押しつけるための押しボルトとを備えており、
前記下部取り付け具が、遊戯台枠の出入りを調整するための出入り調整ボルトと、遊戯台枠を下方に押しつけるための押しボルトとを備えており、
遊戯台枠が所望の傾斜となるように、前記上部取り付け具の出入り調整ボルトおよび前記下部取り付け具の出入り調整ボルトをそれぞれ調整し、かつ、前記下部取り付け具の押しボルトにより遊戯台枠を下方に押しつけた状態で、前記上部取り付け具の押しボルトにより遊戯台枠を前記上部取り付け具の出入り調整ボルトの方へ押しつけるように構成されていることを特徴とする遊戯台取り付け具。
【請求項２】
前記上部取り付け具の前記押しボルトのねじ部の先端には、第１脚部および第２脚部から成るほぼＬ形の固定金具が配置されており、前記固定金具が、第１脚部と第２脚部との交差箇所においてピンによって回転可能になっており、前記固定金具の第１脚部の先端の一方の側に、前記押しボルトのねじ部の先端が接触し、他方の側に、第１脚部の先端を前記押しボルトのねじ部の先端に向かって押しつけるためのスプリングが配置されており、前記押しボルトを回転させると、ねじ部の先端が前記固定金具の第１脚部の先端をスプリングの付勢力に抗して押しつけ、遊戯台枠を前記出入り調整ボルトの方へ押しつけるように構成されていることを特徴とする請求項１に記載の遊戯台取り付け具。
【請求項３】
前記上部取り付け具および前記下部取り付け具の前記出入り調整ボルトの先端に、枠受けプレートがそれぞれ配置されており、前記出入り調整ボルトを回転させることにより、前記枠受けプレートの位置を調整することができるようになっていることを特徴とする請求項１又は２に記載の遊戯台取り付け具。
【発明の詳細な説明】
【技術分野】
【０００１】
本発明は一般に、遊戯台取り付け具に関する。より詳細には、本発明は、所望の傾斜を保持した状態で遊戯台の容易な取り付けを可能にする遊戯台取り付け具に関する。
【背景技術】
【０００２】
遊戯場では、“島”と通称される遊戯台設置ユニットに多数の遊戯台（典型的には、パチンコ台）が並設して取り付けられている。遊戯台設置ユニットへの各遊戯台の取り付けは一般的に、遊戯台の外枠を遊戯台設置ユニットにビス等で固定することによって行われている。
【発明の開示】
【発明が解決しようとする課題】
【０００３】
しかしながら、ビスを用いて遊戯台を遊戯台設置ユニットに固定しようとすると、ビスの頭が飛び出るため、遊戯台を所望の傾斜を保持した状態で遊戯台設置ユニットに取り付けるのが極めて困難であるという課題がある。
【０００４】
本発明は、このような状況に鑑みて開発されたものであって、所望の傾斜を保持した状態で遊戯台を遊戯台設置ユニットに容易に取り付けることができる遊戯台取り付け具を提供することを目的としている。
【課題を解決するための手段】
【０００５】
本願請求項１に記載の遊戯台取り付け具は、遊戯台枠を島上枠に取り付けるための上部取り付け具が、遊戯台枠の出入りを調整するための出入り調整ボルトと、遊戯台枠を前記出入り調整ボルトの方へ押しつけるための押しボルトとを備えており、遊戯台枠を島上枠に取り付けるための下部取り付け具が、遊戯台枠の出入りを調整するための出入り調整ボルトと、前記出入り調整ボルトの上方に位置し、遊戯台枠を下方に押しつけるための押しボルトとを備えており、遊戯台枠が所望の傾斜となるように、前記上部取り付け具の出入り調整ボルトおよび前記下部取り付け具の出入り調整ボルトをそれぞれ調整し、かつ、前記下部取り付け具の押しボルトにより遊戯台枠を下方に押しつけた状態で、前記上部取り付け具の押しボルトにより遊戯台枠を前記上部取り付け具の出入り調整ボルトの方へ押しつけるように構成されていることを特徴とするものである。
【０００６】
本願請求項２に記載の遊戯台取り付け具は、前記請求項１の取り付け具において、前記上部取り付け具の前記押しボルトのねじ部の先端には、第１脚部および第２脚部から成るほぼＬ形の固定金具が配置されており、前記固定金具が、第１脚部と第２脚部との交差箇所においてピンによって回転可能になっており、前記固定金具の第１脚部の先端の一方の側に、前記押しボルトのねじ部の先端が接触し、他方の側に、第１脚部の先端を前記押しボルトのねじ部の先端に向かって押しつけるためのスプリングが配置されており、前記押しボルトを回転させると、ねじ部の先端が前記固定金具の第１脚部の先端をスプリングの付勢力に抗して押しつけ、遊戯台枠を前記出入り調整ボルトの方へ押しつけるように構成されていることを特徴とするものである。
【０００７】
本願請求項３に記載の遊戯台取り付け具は、前記請求項１又は２の取り付け具において、前記上部取り付け具および前記下部取り付け具の前記出入り調整ボルトの先端に、枠受けプレートがそれぞれ配置されており、前記出入り調整ボルトを回転させることにより、前記枠受けプレートの位置を調整することができるようになっていることを特徴とするものである。
【発明の効果】
【０００８】
本発明の遊戯台取り付け具によれば、遊戯台を所望の傾斜にした状態で島（遊戯台設置ユニット）に容易に取り付けることができる。また、本発明の遊戯台取り付け具は、遊戯台の機種を問わず使用することができる。さらに、本発明の遊戯台取り付け具は、構造が簡単であるため、安価に提供することができ、故障するおそれもない。
【発明を実施するための最良の形態】
【０００９】
次に、図面を参照して、本発明の好ましい実施の形態に係る遊戯台取り付け具について詳細に説明する。本発明の好ましい実施の形態に係る遊戯台取り付け具は、遊戯台枠を島上枠に取り付けるための上部取り付け具１０と、遊戯台枠を島下枠に取り付けるための下部取り付け具３０とを具備している。
【００１０】
図１は上部取り付け具１０の正面図、図２は上部取り付け具１０の平面図である。上部取り付け具１０は、本体１２を備えている。本体１２は、複数の平面板を組み合わせることによって形成されている。
【００１１】
上部取り付け具１０は又、遊戯台枠の出入りを調整するための出入り調整ボルト１４を備えている。出入り調整ボルト１４は、ヘッド１４ａと、ねじ部１４ｂと、ねじ部１４ｂの先端に設けられた枠受けプレート１４ｃとを有しており、本体１２に設けられた貫通孔１２ａに出入り調整ボルト１４のねじ部１４ｂが挿入されている。本体１２のいずれかの面に、貫通孔１２ａと同軸になるように、ナット１６が溶接等によって堅固に取り付けられており、ナット１６に出入り調整ボルト１４がねじ込まれている。これにより、出入り調整ボルト１４を回転させることによって、枠受けプレート１４ｃの位置を調整することができるようになっている。なお、貫通孔１２ａの径は、出入り調整ボルト１４のねじ部１４ｂの外径（山径）よりも大きくなるように選定されている。
【００１２】
上部取り付け具１０は更に、出入り調整ボルト１４の上方に位置し、遊戯台枠を出入り調整ボルト１４の方へ押しつけるための押しボルト１８を備えている。押しボルト１８は、ヘッド１８ａと、ねじ部１８ｂとを有しており、本体１２に設けられた貫通孔１２ｂに押しボルト１８のねじ部１８ｂが挿入されている。本体１２のいずれかの面に、貫通孔１２ｂと同軸になるように、ナット２０が溶接等によって堅固に取り付けられており、ナット２０に押しボルト１８がねじ込まれている。なお、貫通孔１２ｂの径は、押しボルト１８のねじ部１８ｂの外径（山径）よりも大きくなるように選定されている。
【００１３】
図３（ａ）に最も良く示されるように、押しボルト１８のねじ部１８ｂの先端には、ほぼＬ形の固定金具２２が配置されている。固定金具２２は、第１脚部２２ａと、第２脚部２２ｂとを有しており、第１脚部２２ａと第２脚部２２ｂとの交差箇所において、ピン２４によって本体１２に回転可能に取り付けられている。固定金具２２の第１脚部２２ａの先端の一方の側に、押しボルト１８のねじ部１８ｂの先端が接触しており、固定金具２２の第１脚部２２ａの先端の他方の側に、第１脚部２２ａの先端を押しボルト１８のねじ部１８ｂの先端に向かって押しつけるためのスプリング２６が配置されている。一方、固定金具の第２脚部２２ｂの先端の外縁には、鋸歯状の凹凸２２ｂ１が設けられている。以上により、押しボルト１８を一方向に回転させると、押しボルト１８のねじ部１８ｂの先端が固定金具２２の第１脚部２２ａの先端をスプリング２６の付勢力に抗して押しつけ、これにより固定金具２２が図３（ａ）の矢印で示される方向に回転するようになっている。また、押しボルト１８を他方向に回転させると、押しボルト１８のねじ部１８ｂの先端が引っ込められるので、スプリング２６の付勢力により、固定金具２２は、元の位置に戻るようになっている。
【００１４】
なお、本体１２に設けられている孔１２ｃは、上部取り付け具１０を島上枠に固定する際に用いるビス用孔である。また、図１及び図３（ａ）における参照符号１２ｄは、スプリング２６を本体１２に固定するためのビスを示している。
【００１５】
図４は下部取り付け具３０の正面図、図５は下部取り付け具３０の平面図である。下部取り付け具３０は、本体３２を備えている。本体３２は、複数の平面板を組み合わせることによって形成されている。
【００１６】
下部取り付け具３０は又、遊戯台枠の出入りを調整するための出入り調整ボルト３４を備えている。出入り調整ボルト３４は、ヘッド３４ａと、ねじ部３４ｂと、ねじ部３４ｂの先端に設けられた枠受けプレート３４ｃとを有しており、本体３２に設けられた貫通孔３２ａに出入り調整ボルト３４のねじ部３４ｂが挿入されている。本体３２のいずれかの面に、貫通孔３２ａと同軸になるように、ナット３６が溶接等によって堅固に取り付けられており、ナット３６に出入り調整ボルト３４がねじ込まれている。これにより、出入り調整ボルト３４を回転させることによって、枠受けプレート３４ｃの位置を調整することができるようになっている。なお、貫通孔３２ａの径は、出入り調整ボルト３４のねじ部３４ｂの外径（山径）よりも大きくなるように選定されている。
【００１７】
下部取り付け具３０は更に、遊戯台枠を押しつけるための押しボルト３８を備えている。押しボルト３８は、ヘッド３８ａと、ねじ部３８ｂとを有しており、本体３２に設けられた貫通孔３２ｂに押しボルト３８のねじ部３８ｂが挿入されている。本体３２のいずれかの面に、貫通孔３２ｂと同軸になるように、ナット４０が溶接等によって堅固に取り付けられており、ナット４０に押しボルト３８がねじ込まれている。好ましくは、押しボルト３８のねじ部３８ｂの先端３８ｂ１は、遊戯台枠に食い込むように、鋭利に形作られている。ねじ部３８ｂの先端３８ｂ１の直上位置には、先端３８ｂ１が遊戯台枠に食い込み過ぎないように、ストッパ３８ｂ２が取り付けられている。なお、貫通孔３２ｂの径は、
押しボルト３８のねじ部３８ｂの外径（山径）よりも大きくなるように選定されている。
【００１８】
次に図７および図８を参照して、以上のように構成された遊戯台取り付け具を用いて遊戯台を取り付ける方法について説明する。遊戯台１台につき、２個の上部取り付け具１０および２個の下部取り付け具３０を準備する。まず、２個の上部取り付け具１０を島上枠にビス止めし、２個の下部取り付け具３０を島下枠にビス止めする。次いで、遊戯台枠が所望の傾斜となるように、出入り調整ボルト１４、３４をそれぞれ調整する（すなわち、遊戯台枠が所望の傾斜となるように、枠受けプレート１４ｃ、３４ｃの位置をそれぞれ調整する）。次いで、下部取り付け具３０の押しボルト３８を回転させ、押しボルト３８のねじ部３８ｂの先端３８ｂ１を遊戯台枠に食い込ませることによって、遊戯台枠を島下枠の方へ下方に押しつける。しかる後、上部取り付け具１０の押しボルト１８を回転させ、押しボルト１８のねじ部１８ｂの先端により固定金具２２の第１脚部２２ａの先端を押し、遊戯台枠を出入り調整ボルト１４の方へ押しつける（その際、固定金具の第２脚部２２ｂの先端の外縁の鋸歯状の凹凸２２ｂ１が遊戯台枠に食い込み、遊戯台枠を出入り調整ボルト１４の方へ押しつけるのを助ける）。以上により、遊戯台枠が、所望の傾斜を保持した状態で島枠に取り付けられる。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２０】
【図１】本発明の好ましい実施の形態に係る遊戯台取り付け具のうち上部取り付け具の正面図である。
【図２】図１の上部取り付け具の平面図である。
【図３】図３（ａ）は図２の線３ａ−３ａに沿って見た断面図、図３（ｂ）は図２の線３ｂ−３ｂに沿って見た断面図である。
【図４】本発明の好ましい実施の形態に係る遊戯台取り付け具のうち下部取り付け具の正面図である。
【図５】図４の下部取り付け具の平面図である。
【図６】図５の線６−６に沿って見た断面図である。
【図７】本発明の好ましい実施の形態に係る遊戯台取付け具によって遊戯台が取り付けられている状態を示した図である。
【図８】図７の線８−８に沿って見た断面図である。
【符号の説明】
【００２１】
１０  上部取り付け具
１２  本体
１４  出入り調整ボルト
１８  押しボルト
３０  下部取り付け具
３２  本体
３４  出入り調整ボルト
３８  押しボルト
【図１】
2006314653.tif 000003
【図２】
2006314653.tif 000004
【図３】
2006314653.tif 000005
【図４】
2006314653.tif 000006
【図５】
2006314653.tif 000007
【図６】
2006314653.tif 000008
【図７】
2006314653.tif 000009
【図８】
2006314653.tif 000010